(57)【要約】【課題】  飲料と冷却水とを収容しながら、容易に使用することができる液体容器を提供する。【解決手段】  有底筒状の外容器２と、外容器２内に収容される内容器３とからなり、内容器３は、外容器２の開口から突出するようにばね２０で付勢されている液体容器１。【選択図】図１
2006021818.tif 000002
【特許請求の範囲】
【請求項１】
有底筒状の外容器と、前記外容器内に収容される内容器とからなり、
前記内容器は、前記外容器の開口から突出するようにばねで付勢されていることを特徴とする液体容器。
【請求項２】
前記外容器の開口を封止可能な外蓋を有し、
前記外蓋は、前記内容器を前記ばねの付勢力に抗して前記外容器内に押し込んだ状態で、前記外容器を封止することを特徴とする請求項１に記載の液体容器。
【請求項３】
前記内容器は、内部の液体を吸引可能とするチューブを有する内蓋で封止されていることを特徴とする請求項１または２に記載の液体容器。
【請求項４】
前記内容器は、内部の液体を吸引可能とするチューブを有する内蓋で封止されており、
前記外蓋は、前記チューブを折り曲げるように前記内蓋に押し付けることで、前記内容器を前記外容器の内部に押し込むことを特徴とする請求項２に記載の液体容器。
【請求項５】
前記内容器は、前記外容器の内部に設けた筒状の中筒の中に配置され、
前記中筒には複数の穴が設けられていることを特徴とする請求項１から４のいずれかに記載の液体容器。
【請求項６】
前記中筒の中に、該中筒に沿って移動可能な台座を有し、
前記ばねは、前記中筒の底部と前記台座との間に設けられていることを特徴とする請求項５に記載の液体容器。
【請求項７】
前記複数の穴の少なくとも１つは、前記外容器の開口に向かって延伸する長穴であり、
前記台座は、前記長穴に突出する係合部を有し、
前記係合部は、前記長穴の内部を摺動することを特徴とする請求項６に記載の液体容器。
【請求項８】
前記外容器は、断熱性能を有する断熱容器であることを特徴とする請求項１から７のいずれかに記載の液体容器。
【請求項９】
前記断熱容器は、真空二重容器であることを特徴とする請求項８に記載の液体容器。
【発明の詳細な説明】
【技術分野】
【０００１】
本発明は、液体容器に関する。
【背景技術】
【０００２】
マラソンなどのスポーツでは、競技中に、水分を補給するための飲料をコップやチューブの付いたボトル等の容器に入れて競技者に提供したり、体にかけて冷却するための冷却水も同様の容器やスポンジに染み込ませる等して競技者に提供している。競技者にとって、飲料や冷却水を手にすることは、競技能力の維持のために必要であるが、余分な時間を費やすことも強いられることになる。
【０００３】
時間の浪費を少なくするために、飲料と冷却水を兼用する場合もあるが、水分補給のための飲料は、吸収率を高めるために電解質などの溶解物を含んでいることが好ましく、そのような溶解物は、体にかけたときに不快であったり汗の蒸発を阻害したりするので好ましくない。
【０００４】
そこで、飲料を入れた容器と冷却水を入れた容器との２つの容器をマジックテープ等で接続して、競技者が一度に２つの容器を手にできるようにする場合もあるが、２つの容器を取り扱わなくてはならないので、競技者は集中力を奪われ、競技においては負担になるという問題があった。
【０００５】
また、競技者に冷たい飲料および冷却水を提供するために、断熱容器を使用する場合もあるが、２つの断熱容器は総重量や全体の容積が大きくなるため、競技者にとってはさらに負担が大きくなるという問題があった。
【０００６】
また、特許文献１には、内部を２つの空間に区分し、それぞれの空間にキャップで封止可能な開口を設けた液体容器が開示されているが、一方の空間に収容した飲料を飲み残した場合は、その開口を再びキャップで封止しなければ、他方の空間に収容した冷却水を使用できないという問題があった。
【特許文献１】実用新案登録第３０４８２２８号公報
【発明の開示】
【発明が解決しようとする課題】
【０００７】
前記問題点に鑑みて、本発明は、飲料と冷却水とを収容しながら、容易に使用することができる液体容器を提供することを課題とする。
【課題を解決するための手段】
【０００８】
前記課題を解決するために、本発明による液体容器は、有底筒状の外容器と、前記外容器内に収容される内容器とからなり、前記内容器は、前記外容器の開口から突出するようにばねで付勢されているものとする。
【０００９】
この構成によれば、冷却水を入れた前記外容器に、飲料を入れた前記内容器を収納しておき、前記内容器を前記外容器から容易に取り出して、前記内容器内の飲料を飲んだり、前記外容器の中の冷却水を使用したりすることができる。このため、飲料と冷却水とを１つの容器を手に取るだけで入手でき、飲料と冷却水とを別々に、且つ、容易に使用することができる。
【００１０】
また、本発明の液体容器は、前記外容器の開口を封止可能な外蓋を有し、前記外蓋は、前記内容器を前記ばねの付勢力に抗して前記外容器内に押し込んだ状態で、前記外容器を封止するものとしてもよい。
【００１１】
この構成によれば、前記外蓋で前記外容器を封止するので衛生的であり、使用時には、前記ばねによって前記内容器が突出するので、前記内容器に収容した飲料を利用し易く、前記内容器を前記外容器から取り出し易いために前記外容器に収容した冷却水を容易に使用できる。
【００１２】
また、本発明の液体容器において、前記内容器は、内部の液体を吸引可能とするチューブを有する内蓋で封止されていてもよい。
【００１３】
この構成によれば、前記内容器に収容した飲料が飲み易い。
【００１４】
また、本発明の液体容器において、前記内容器は、内部の液体を吸引可能とするチューブを有する内蓋で封止されており、前記外蓋は、前記チューブを折り曲げるように前記内蓋に押し付けることで、前記内容器を前記外容器の内部に押し込んでもよい。
【００１５】
この構成によれば、前記チューブによって前記内容器に収容した飲料が飲み易い。また、前記内容器を前記外容器の中に前記チューブを折り曲げて収納するので、前記外蓋を閉めた状態での液体容器全体の体積を小さくできる。
【００１６】
また、本発明の液体容器において、前記内容器は、前記外容器の内部に設けた筒状の中筒の中に配置され、前記中筒には複数の穴が設けられていてもよい。
【００１７】
この構成によれば、前記中筒によって、前記内容器の前記外容器への収納および突出がスムーズに行え、前記中筒の穴によって、前記外容器への冷却水の出入りも阻害しない。
【００１８】
また、本発明の液体容器において、前記中筒の中に、該中筒に沿って移動可能な台座を有し、前記ばねは、前記中筒の底部と前記台座との間に設けられていてもよい。
【００１９】
この構成によれば、前記内容器に前記ばねが直接接触しないので、前記内容器に強度や厳密な加工精度が要求されず、柔軟な材質の内容器が使用できる。
【００２０】
また、本発明の液体容器において、前記複数の穴の少なくとも１つは、前記外容器の開口に向かって延伸する長穴であり、前記台座は、前記長穴に突出する係合部を有し、前記係合部は、前記長穴の内部を摺動してもよい。
【００２１】
この構成によれば、前記台座の可動範囲が定められ、前記台座が最も前記外容器の開口に近い位置に達するまで前記ばねの付勢力が働く。これにより、前記内容器が前記外容器から突出して停止する位置が一定になるので、前記内容器を、飲料が飲み易く、且つ、前記外容器から取り出し易い最適な位置に突出させられる。
【００２２】
また、本発明の液体容器において、前記外容器は、断熱性能を有する断熱容器であってもよく、前記断熱容器は、真空二重容器であってもよい。
【００２３】
前記外容器を断熱容器にすれば、飲料および前記冷却水を好ましい温度に保持することができ、さらに、前記断熱容器が真空二重容器であれば、液体容器を小さくできる。
【発明の効果】
【００２４】
以上のように、本発明によれば、飲料と冷却水とを収容しながら、容易に使用することができる液体容器を提供できる。
【発明を実施するための最良の形態】
【００２５】
以下、本発明の好ましい実施形態について、図面を参照しながら説明する。
【００２６】
図１に本発明の実施形態の液体容器１を示す。液体容器１は、ステンレス製の真空二重容器である容量が約７００ｍｌの外容器２の内部に、ポリエチレン製の容量が約３５０ｍｌの内容器３が収納されている。
【００２７】
外容器２は筒状の外胴４の中に、有底筒状の内胴５が設けられ、外胴４の下端を底板６で封止している。外胴４と内胴５の上端および外胴４の下端と底板６の外周部とは、気密に接合され、底板６に設けた排気口７から排気して真空状態にされた密閉空間を構成している。
【００２８】
内容器３は、外容器２の内部に設けたポリカーボネイト製の円筒状の中筒８の中に配置されており、中筒８の上部外周に係合するＡＢＳ樹脂製の止め輪９が外容器２の開口部１０の外周に設けたねじに係合して、中筒８を外容器２の中に上端が開口部１０から突出するように固定している。中筒８の外周にはゴム製のパッキン１１が係合しており、外容器２との隙間を封止している。中筒８の下端は、外容器２の底から離れた位置にある。中筒８の下端には、底壁となる底部１２が設けられこの底部１２に、底穴１３が設けられている。また、中筒８の側面でパッキン１１のすぐ下には円周方向に等間隔に６つの上部穴１４が設けられ、中筒８の下端近くから外容器２の開口部１０に向かって真っ直ぐに延伸して中筒８の中程に達する細長い長穴１５が円周方向に等間隔に３つ設けられている。
【００２９】
中筒８の内側には、中筒８の内径に略近い径を有する円盤からなるＡＢＳ樹脂製の台座１６が中筒８に沿って摺動可能に設けられている。台座１６は、中央に中穴１７が設けられた環状の板であり、外周から中筒８の長穴１５の中に先端が突出する係合部１８が設けられ、係合部１８が長穴１５の中で摺動することで中筒８の中で可動範囲が定められる。また、台座１６は、下面に円筒状のばね座１９が設けられ、ばね座１９の外側に係合するステンレス製のばね２０によって上向きに、中筒８に沿って外容器２の開口部１０に向かって付勢されている。
【００３０】
内容器３は、有底筒状で、上部の開口部がポリエチレン製の内蓋２１で封止され、上部から内蓋２１を貫通して内容器３の内部の底に達するシリコンゴム製のチューブ２２を有している。内容器３は、中筒８の中で台座１６の上に配置される。
【００３１】
液体容器１は、中筒８上端の開口部を封止するＡＢＳ樹脂製の外蓋２３を有している。外蓋２３は、チューブ２２を折り返し、内蓋２１に押し付けるようにして内容器３および台座１６をばね２０の付勢力に抗して外容器２の奥方向に押し込む抑え部２４を有し、中筒８の上端部外周に設けたねじに係合して固定される。
【００３２】
続いて、以上の構成からなる液体容器の使用方法を説明する。
【００３３】
図２に、外蓋２３および内容器３を取り外した液体容器１を示す。台座１６に力を加えない状態では、図示するように、係合部１８が長穴１５の上端に当接するまで、ばね２０によって台座１６が中筒８内を上方にせり上げられる。この状態で、中筒８の上部開口から冷却水を注ぐと、中筒８の上部穴１４から、または、台座１６の中穴１７を介して中筒８の長穴１５や底穴１３から、冷却水を外容器２の内部空間に注入することができる。
【００３４】
内容器３は、飲料を注ぎ入れてから内蓋２１で封止し、中筒８の中に上方から挿入する。そして、チューブ２２を内蓋２１に沿うように折り返して外蓋２３の抑え部２４でチューブ２２を下向きに押さえて内容器３を中筒８の中に押し込み、外蓋２３と中筒８とをねじによって係合させることで、図１に示すように、内容器３を外容器２の内部に収納した状態に固定し、外容器２の開口を封止できる。
【００３５】
このとき、冷却水は、外蓋２３で内容器３を押し込んだときに溢れ出してしまわないように、内容器３の体積を差し引いた外容器２の実容量である約３５０ｍｌ以下にしておく必要がある。
【００３６】
マラソンランナーなどの競技者が、競技中に液体容器１の供給を受け、外蓋２３を取り外すと、図３に示すように、ばね２０が、台座１６を押し上げ、内容器３を開口からその半ばまで突出させる。そして、チューブ２２は、図示するように、弾性によって自立するので、競技者は、チューブ２２から内容器３の内部の飲料を吸引して飲むことができる。
【００３７】
さらに、外容器２から内容器３を上方に抜き取れば、液体容器１は、図２に示した状態に戻り、上下が逆になるように転倒させると、冷却水が上部穴１４および中穴１７から中筒８を通って外部に流れ出るようになる。こうして、競技者は、片方の手で内容器３の内部の飲料を飲んだり、もう一方の手で外容器２の内部の冷却水を体にかけたりすることができる。
【００３８】
以上のような使用において、液体容器１は、外容器２が真空二重容器であるので、気温が高い屋外や直射日光を受けるような場所に長時間置かれていても、冷却水および飲料が、液体容器１に注ぎ入れたときの温度（飲料水と飲料の温度が異なる場合は両者を平均化した温度）で保たれる。
【００３９】
そして、外容器２の真空構造という一つの断熱構造で冷却水だけでなく飲料への外部からの熱の侵入を防止するので、別々の断熱容器に収容する場合に比べて総重量が小さい。
【００４０】
また、外蓋２３を取り外すだけで、内容器３がせり上がってくるので、飲料を簡単に飲むことができ、内容器３は中筒８から半ばまで突出するので、中筒８から完全に引き抜くことが簡単であり、冷却水を使用することも容易である。
【００４１】
このような液体容器１を使用すれば、競技者は、飲料と冷却水を入手するために１つの容器を手に取るだけでよく、その後も容器を２つに分割する必要がないので片手で外容器２を保持しながら、外蓋２３を外すことも、内容器３を容易に引き抜くことも、もう片方の手で容易に行うことができ、一度取り外した外蓋２３を再び閉めなくても冷却水を使用できるので、競技者は、集中力を浪費しないで水分補給や体の冷却を行って競技能力を維持することができ、そのために時間を浪費することもない。
【図面の簡単な説明】
【００４２】
【図１】本発明の実施形態の液体容器の断面図。
【図２】図１の液体容器の外蓋および内容器を取り外した状態の断面図。
【図３】図１の液体容器の内容器が突出した状態の断面図。
【符号の説明】
【００４３】
１  液体容器
２  外容器
３  内容器
８  中筒
１０  開口部
１２  底部
１３  底穴
１４  上部穴
１５  長穴
１６  台座
１８  係合部
２０  ばね
２１  内蓋
２２  チューブ
２３  外蓋
【図１】
2006021818.tif 000003
【図２】
2006021818.tif 000004
【図３】
2006021818.tif 000005